(57)【要約】【課題】クリップ内にバネ部材を設ける必要がなく、駆動ワイヤーのスライド機能が十分に発揮され、閉じたときにカーテンが架設材と確実に密着する突き当て式カーテンクリップを提供する。【解決手段】支持部材３に取り付けられたクリップ１内の摺動体５前後に駆動ワイヤーＡと連動する抑止片６・６’を突設し、カーテンＢが架設材４に密接し閉じられると前方抑止片６の起立部７が本体１ａ側面に突き当たって停止し同時に駆動ワイヤーＡがスライドすることを特徴とする。【選択図】図３
0003206911.tif 000002
【実用新案登録請求の範囲】
【請求項１】
温室のカーテンが閉じられた時に架設材との間に隙間を生じることがないように駆動ワイヤーの動きをスライドさせることができる突き当て式カーテンクリップであって、支持部材に取り付けたクリップ本体内の摺動体前後に、駆動ワイヤーと連動する抑止片を突設し、カーテンが架設材に密接し閉じられると前方抑止片が架設材に突き当たり同時に駆動ワイヤーがスライドすることを主旨とする突き当て式カーテンクリップ。
【請求項２】
前記駆動ワイヤーは、クリップ本体と摺動体に挟持され且つ中間のガイドローラーに沿って移動するものであることを特徴とする請求項１記載の突き当て式カーテンクリップ。
【考案の詳細な説明】
【技術分野】
【０００１】  本考案は、温室のカーテン開閉に供される突き当て式カーテンクリップに関する。
【背景技術】
【０００２】  温室カーテンには、全面を２枚のフィルムとした構成のものと１スパン毎に１枚のフィルムで構成して複数枚を必要とするものとがある。１枚構造のカーテンはフィルムの重なりとはならないため突き当て部に隙間を作らないようにするよう工夫されている。すなわち駆動ワイヤーは温室の天井近傍に架設されたモーターにより作動する駆動ドラムと、温室側壁に沿って設けられた滑車に沿って正逆走行し、それと同時に支持部材とともにカーテンが開閉されるようになっている。支持部材には通常突出した当て材が設けられているが（例えば特許文献１参照）、場合によってカーテンを閉じたときに架設材との間に隙間を生じることがあって温室内の採光・保温等に支障を生じることがある。そのための解決手段として前記駆動ワイヤーが、連動するクリップ本体に組み込まれたバネ部材によって所定以上の負荷がかかったときにスライドするようにしてカーテンと架設材との間に隙間を生ずることのない開閉装置が提案されている（特許文献２、３参照）。
【先行技術文献】
【特許文献】
【０００３】
【特許文献１】登録実用新案第３１３５４６８号公報
【特許文献２】登録実用新案第３１９１８６０号公報
【特許文献３】特開２００１−１４８９４６号公報
【考案の概要】
【考案が解決しようとする課題】
【０００４】  バネ部材を用いてクリップにスライド機能を持たせた上記文献２、３に記載のものは、カーテンを閉じたときに当接個所に生じる隙間を補正するために駆動ワイヤーを余分に動かしスライドさせて全体が隙間なく当たるようにしたものであり、カーテンが温室の前後、つまり妻引き用である場合に駆動ワイヤーにこのクリップを使用する方法が適するとされている。しかしながらこれらの文献に示されたクリップは本体内に上下方向のバネ部材を組み込むという構造のものであり、小型のクリップの狭小な空間内にバネ部材及びその他の付属物を設ける必要があって製作組立上の手数が煩雑になるのと、バネの弾発力が弛緩すると駆動ワイヤーの動きにも支障を生じるという問題がある。【０００５】    本考案は従来技術の有する課題を解決するためになされたもので、その目的とするところは、クリップ内にバネ部材を設ける必要がなく、しかも駆動ワイヤーのスライド機能が遺憾なく発揮されてカーテン開閉がスムーズなされ、なおかつカーテンを閉じたときに架設材との間に密着することが確実容易となる突き当て式カーテンクリップを提供しようとするものである。
【課題を解決するための手段】
【０００６】  そのために本考案は、温室のカーテンが閉じられた時に架設材との間に隙間を生じることがないように駆動ワイヤーの動きをスライドさせることができる突き当て式カーテンクリップであって、支持部材に取り付けたクリップ本体内の摺動体前後に、駆動ワイヤーと連動する抑止片を突設し、カーテンが架設材に密接し閉じられると前方抑止片が架設材に突き当たり同時に駆動ワイヤーがスライドすることを主旨としている。【０００７】  前記駆動ワイヤーは、クリップ本体と摺動体に挟持され且つ中間のガイドローラーに沿って移動するものであることを特徴とする。
【考案の効果】
【０００８】  前後の抑止片は駆動ワイヤーの動きに連動し、従来技術のように駆動ワイヤーが弾性体による上下の弾発作用を受けることがないため駆動ワイヤーの動きに上下方向の力がはたらかずその動きがスムーズとなる。そしてクリップには弾性体を収納する狭小な空間部を設ける必要もないため全体の構成が頗るシンプルでその製作手数も容易で故障を生ずることもなく、ひいては安価に提供できる実益もある。【０００９】  クリップ本体と摺動体に挟持された駆動ワイヤーがガイドローラーに案内され、ワイヤーと抑止片は連動するが、カーテンを閉じると架設材に抑止片の起立部が突き当たってストッパーの役割をするためクリップは停止するが駆動ワイヤーは自動的にスライドし、したがってカーテンには余分な負荷がかからないのでその閉じられた位置が確固として保持される。
【図面の簡単な説明】
【００１０】
【図１】本考案を設置した温室の概略図である。
【図２】カーテンが閉方向に向かう本案要部の断面図である。
【図３】カーテンが閉じられた本案要部の断面図である。
【図４】カーテンが開方向に向かう本案要部の断面図である。
【考案を実施するための形態】
【００１１】  図面に示す最良の実施形態につきこの考案を説明すると、図１は温室１１に本装置を設置した一例を示すもので、駆動ワイヤーＡは、天井近傍のモーターにより回転するドラム１２、及び温室１１の側壁に沿って設けられた滑車１３に沿って走行し、同時に支持部材３とともにカーテンＢが開閉されるものであることが分かる。フィルムが重ならない１スパン毎に並設されているカーテンでは複数枚のカーテンＢに夫々クリップ１が配置されて同じ動きをすることができ、温室の採光・保温等に著効を発揮する。
【００１２】  図２〜図４は本考案の要部を示している。前記駆動ワイヤーＡに係合したクリップ１の本体１ａの上面に突設した掛け片２が、支持部材３の凹溝に嵌合し固定されている。カーテンＢは、その先端部を支持部材３に固定してあるため支持部材３が駆動ワイヤーＡとともに架設材４に向かい閉じられる方向に動くと必然的にクリップ１も駆動ワイヤーＡとともに同方向に動く。
【００１３】  クリップ１は本体１ａ内に収納した摺動体５左右に抑止片６・６’を突設してあり、抑止片６・６’には起立部７・７’が形成されていて左右の抑止片６・６’は同じ動きをする。そして起立部７・７’のガイド溝８・８’に駆動ワイヤーＡが挿通され該ワイヤーは摺動体５の中間に取り付けたガイドローラー１０に係合するとともに、本体１ａと摺動体５に形成した傾斜状の対称形挟持個所Ｐによって駆動ワイヤーＡは挟持され、したがって駆動ワイヤーＡと抑止片６・６’はカーテン開閉時の動きに連動する。図２のように駆動ワイヤーＡによりカーテンＢが閉じられる方向に動くとき前部の抑止片６は、ガイドローラー１０を回転させつつ移動する駆動ワイヤーＡとともに本体１ａより突出するが後部の抑止片６’は本体内に没入し、抑止片６’の起立部７’は本体１ａの後面に突き当たった状態でクリップ１が前進移動する。
【００１４】  カーテンＢの当て片ｂが架設材４に対し密接しカーテンＢがその位置で停止するのに伴って抑止片６も架設材４に突き当たる。つまりワイヤーＡに連動した先端側抑止片６は本体１ａより突出していた起立部７が架設材４に突き当たると移動を阻止する力が生じストッパーの役目を果たすため抑止片６は少しく本体１ａ内に没入する。すなわち前に当たって押し戻す力と引いた力が釣り合ったところで中間のガイドローラー１０は空回りし（図３）、駆動ワイヤーＡを楽にスライドさせることができるというものであり、同時に後方の抑止片６が前部抑止片６が没入した分クリップ本体１ａから後方に突出する。
【００１５】  そしてカーテンＢを閉じた状態より開くには、駆動ワイヤーＡが上記と逆方向に動くため反対側の挟持個所ＰでワイヤーＡが固定される状態となる。このとき後部の抑止片６’が突出し、前部の抑止片６はその分本体１ａ内に没入し、該抑止片の起立部７は本体１ａの側面に当接してストッパーの役目をする（図４）。
【００１６】  上記のようにクリップ１は駆動ワイヤーＡとともに移動する反面、所定以上の力がクリップ１に加わると駆動ワイヤーＡに対して相対的にスライドするためカーテンＢが支持部材３を介して架設材４に密接する（直接には支持部材３に固着した当て片ｂが架設材４に密接している）ことが本考案の最大特徴といえる。
【００１７】  かくして閉じられたカーテンＢは隙間を生ずる恐れがなく、したがって遮光・保温の役割を十分に果たすことができる。そしてカーテンＢを開く必要が生じたときは上記と逆方向に駆動ワイヤー１が移動し、同時にカーテンＢが架設材４より離間するとともに、駆動ワイヤーＢの移動に伴ってクリップ１も移動することになる。
【００１８】  なお本考案における図示したものは一例であるから、本考案の目的効果を奏する範囲における付加変更事項も本考案の実施の範疇に属し、温室構造・カーテンの枚数・掛装例などは上記に限定されるものでないことも勿論である。
【符号の説明】
【００１９】  Ａ    駆動ワイヤー
Ｂ    カーテン
１    クリップ
１ａ  本体
３    支持部材
４    架設材
５    摺動体
６    抑止片
６’  抑止片
７    起立部
７’  起立部
８    ガイド溝
１０  ガイドローラー
１１  温室
【図１】
0003206911.tif 000003
【図２】
0003206911.tif 000004
【図３】
0003206911.tif 000005
【図４】
0003206911.tif 000006